(57)【特許請求の範囲】
【請求項１】
箱型の本体に、該本体内を、上方に位置する冷却室と下方に位置する放熱室に区画する区画壁を設け、さらに前記冷却室を形成する壁面において、上方に位置する吸込み口と下方に位置する吹出し口を同一壁面に設け、前記放熱室を形成する壁面で、かつ前記冷却室の吸込み口、吹出し口を設けた壁面と相対する壁面に、吸入口と吐出口を設け、前記放熱室内に、前記吸入口から吸込んだ空気を前記吐出口から前記本体外へ送り出す放熱側送風機と、冷凍サイクルを構成する少なくとも圧縮機と凝縮器を配置し、前記冷却室内に、前記吸込み口から吸込んだ空気を前記吹出し口から前記本体外へ送り出す冷却側送風機と、前記冷凍サイクルを構成する少なくとも蒸発器を配置し、さらに、前記冷却室に、前記吸込み口から吸込んだ空気の少なくとも一部が通過可能な通風部を具備し、かつ前記冷却室内を前記吸込み口から前記蒸発器に通じる通風路と、前記吸込み口から前記通風部を介して前記蒸発器側に通じる制御室とに仕切る仕切壁を設け、前記仕切壁を、少なくとも前記本体に設けた吸込み口を具備する面に平行な面と、前記本体に設けた吸込み口を具備する面と交差する面を具備する形状とし、前記仕切壁の通風部を、前記吸込み口を具備する面と交差する面に設けた開口部より形成し、前記制御室に、前記圧縮機、放熱側送風機、冷却側送風機の少なくともいずれか一つの運転を制御する制御装置を配置した空気調和装置。
【請求項２】
前記制御室と前記蒸発器の間に、前記制御室内の空気を前記蒸発器側へ送り出す補助送風機を設けた請求項１に記載の空気調和装置。
【請求項３】
前記仕切壁の通風部を、前記本体に設けた吸込み口と対向する位置に設けた開口部より形成した請求項１または２に記載の空気調和装置。
【請求項４】
前記制御室に、前記制御装置を支持するスペーサを設け、該スペーサにより前記開口部から流入する空気の一部が、前記制御装置と制御室内壁面の間を流れるようにした請求項１に記載の空気調和装置。
【請求項５】
前記仕切壁を、前記圧縮機、放熱側送風機、冷却側送風機の少なくともいずれか一つの運転を制御する制御装置を収納した電装品箱の壁面を兼ねる構成とした請求項１から４の
いずれか一項に記載の空気調和装置。
【請求項６】
前記制御室および前記仕切壁を、前記蒸発器より上方に配置した請求項１から５のいずれか一項に記載の空気調和装置。
【請求項７】
温度調節を必要とする機器を格納した格納室内の温度調節を行う空気調和装置を、請求項１から６のいずれか一項に記載の空気調和装置とし、該空気調和装置を前記格納室内に配置した格納装置であって、前記冷却室の吸込み口と吹出し口を前記格納室内に開口し、前記放熱室の吸入口と吐出口を前記格納室の外部に開口した格納装置。
【発明の詳細な説明】
【技術分野】
【０００１】
本発明は、コンピュータ等の発熱機器を格納した空間を冷却する空気調和装置および、格納した電子機器等の発熱体を冷却する空気調和装置を具備した格納装置に関するものである。
【背景技術】
【０００２】
従来、発熱する電子機器を格納したシステム装置として、コンピュータ装置等を格納したコンピュータルームあるいは、携帯電話等の通信基地局等が知られている。
【０００３】
そして、このようなシステム装置における格納室内の冷却としてルームエアコンに相当する空気調和装置を用いることが知られている（例えば、特許文献１参照）。
【０００４】
また、格納空間を冷却するシステム装置として、貯蔵庫に冷却システムを取付け、貯蔵庫内を冷却して内部の貯蔵物の温度管理を行うことも知られている（例えば、特許文献２参照）。
【０００５】
さらに、空気調和装置において、熱交換作用を促進するための送風機の送風作用を利用して外気を電装品箱内に取込み、その電装品箱内に配置した発熱部品を冷却する構成も知られている（例えば、特許文献３参照）。
【０００６】
図９は、電子機器を格納したシステム装置の一例として示す特許文献１に記載された通信基地局の冷却システムの概略構成図である。
【０００７】
同図に示す如く、通信基地局５０の筐体冷却システム５１は、自然循環冷媒回路６０の沸騰型冷却器６１と強制循環冷媒回路７０の蒸発器７１とによって、密閉空間である筐体内８０に配置された発熱部品８１を含む通信機器８２を冷却するように構成されている。強制循環冷媒回路７０は、ルームエアコン等を汎用化した構成であり、圧縮機７２により、冷媒を凝縮器７３、減圧装置７４、蒸発器７１の順に強制循環させるようにしたものである。
【０００８】
また、自然循環冷媒回路６０の凝縮器６２は、室外機として凝縮器ケース６３内に配備されている。凝縮器ケース６３内の凝縮器６２と通風路６４内の沸騰型冷却器６１とが冷媒蒸気管６５および液冷媒戻り管６６を介して環状に連結されることにより、自然循環冷媒回路６０が構成されている。
【０００９】
そして、自然循環冷媒回路６０および強制循環冷媒回路７０を運転することにより、筺体内８０に配置された発熱部品８１および通信機器８２等を冷却することができるものである。
【００１０】
図１０は、上記特許文献２に開示される貯蔵装置の斜視図で、同図の如く断熱された貯蔵庫９１の天井部に冷却装置９２を配置し、この冷却装置９２によって生成される冷却空気を貯蔵庫９１内に供給することによって貯蔵庫９１内の空間を冷却する構成となっている。
【特許文献１】特開２００１−４１５０３号公報
【特許文献２】特開２００７−１７０１６号公報
【特許文献３】特開２０００−８８２８１号公報
【発明の開示】
【発明が解決しようとする課題】
【００１１】
しかしながら、図９に示す前者の構成は、室内機と室外機が分離した所謂セパレート型のルームエアコンを基調としているため、設置面積も大きくなり、配管も長くしなければならず、設置する時間もかかるものであった。
【００１２】
また、図１０に示す後者の構成は、前者の課題は解決できるものの、冷却装置９２によって生成された冷却空気を天井から供給する必然性から、冷却装置９２の据付箇所が天井部に特定されるものである。
【００１３】
かかることは、メンテナンス作業が困難となり、また、冷却装置９２が貯蔵庫９１の外観を形成する部材を兼ねているため、意匠観等を考慮する必要性が生じ、高価となる要因を含むものであった。
【００１４】
さらに、両者においては、それぞれ構成が異なるものの、設置場所によっては、自然循環冷媒回路６０、強制循環冷媒回路７０、および冷却装置９２それぞれの運転を制御する制御装置（図示せず）の冷却を必要とし、簡易かつ効率のよい冷却が行える構成を必要とするものである。
【００１５】
また、特許文献３の構成は、発熱部品の冷却に外気を取込むため、その風路において昆虫や小動物の侵入防止策が必要となる。その結果、前記侵入防止の構成が冷却として取込む空気の抵抗となり、発熱度の高い部品によっては、取込み面積の大きな通風路を要することとなり、構成が複雑化する課題が発生する。さらに、冷却空気は、季節によって大きく異なるため、安定した範囲にある温度で冷却することができず、発熱部品へのヒートショックも大きく、効率のよい冷却を行うことが困難な構成であった。
【００１６】
本発明は上記従来の課題を解決するもので、設置が簡易に行え、さらに安価に構成できる冷却装置を提供し、また、冷却装置の運転を制御する制御装置の冷却が効率よく行えるようにし、さらに、格納装置においては、前記冷却装置のメンテナンス作業の容易化をはかることを目的とするものである。
【課題を解決するための手段】
【００１７】
上記従来の課題を解決するために本発明は、箱型の本体内を区画壁によって上方に位置する冷却室と下方に位置する放熱室に仕切り、さらに前記冷却室に、上方に位置する吸込み口と下方に位置する吹出し口、および前記吸込み口と吹出し口の間に位置し、かつ冷凍サイクルを構成する蒸発器と冷却側送風機をそれぞれ設け、また、前記放熱室における前記冷却室の吸込み口、吹出し口と相対する壁面に、吸入口と吐出口を設け、さらに前記放熱室内に、前記吸入口と吐出口の間に位置し、かつ冷凍サイクルを構成する圧縮機と凝縮器および放熱側送風機を設けた空気調和装置であって、前記冷却室内に、該冷却室内を、前記吸込み口から前記蒸発器側に通じる通風路と、前記圧縮機、放熱側送風機、冷却側送風機の少なくともいずれか一つの運転を制御する制御装置を配置した制御室に区画する仕切壁を設け、前記制御室を前記吸込み口と蒸発器側に通じるようにしたものである。
【００１８】
したがって、空気調和装置は、冷却室と放熱室を一つの本体内に形成した構成となり、これによって空気調和装置のメンテナンス作業の容易化がはかれ、また空気調和装置の据付作業が簡略化でき、さらに、前記吸込み口からの気流によって前記制御室内に設けた制御装置を冷却することが可能となるものである。
【発明の効果】
【００１９】
本発明は、冷凍サイクルを単一の本体内に組込んだ空気調和装置とすることができ、空気調和装置の据付作業が簡略化でき、さらにメンテナンス作業も本体の範囲内で行え、作業の容易化がはかれるものである。
【００２０】
また、冷却室内を仕切壁によって通風路と制御室に区画し、吸込み口からの気流の一部を制御室側へ分流させて制御室内に配置した制御装置を冷却することができるため、制御装置を冷却する空気の確保のために外気を取込む必要がない。その結果、冷却空気の取込み部において小動物等の侵入防止策が不要となり、侵入防止策に伴う通風抵抗の増加もなく、制御装置を効率よく冷却し、制御装置の温度上昇に伴う誤動作を抑制することができる。さらに、制御装置を冷却した空気は、蒸発器によって冷却され、吹出し口から吹出される構成であるため、前述の外気取込みを不要とすることと併せて冷却室に必要以上に開口を設けることがなく、冷却室における風回路の風漏れ、およびこれに起因する冷却効率の低下を抑制することができるものである。
【００２１】
さらに、前記空気調和装置を格納室に配置した格納装置においては、前記空気調和装置の据付作業が簡略化でき、また該空気調和装置のメンテナンス作業も容易となることに加えて、前記冷却室の制御室を流れる気流（空気）温度を比較的安定した温度範囲とすることができ、季節の変化等に起因した大幅な温度変化に伴う制御装置へのヒートショックが緩和でき、それに伴う制御装置等の故障を抑制することができ、該制御装置の信頼性を維持することができるものである。
【発明を実施するための最良の形態】
【００２２】
請求項１に記載の発明は、箱型の本体に、該本体内を、上方に位置する冷却室と下方に位置する放熱室に区画する区画壁を設け、さらに前記冷却室を形成する壁面において、上方に位置する吸込み口と下方に位置する吹出し口を同一壁面に設け、前記放熱室を形成する壁面で、かつ前記冷却室の吸込み口、吹出し口を設けた壁面と相対する壁面に、吸入口と吐出口を設け、前記放熱室内に、前記吸入口から吸込んだ空気を前記吐出口から前記本体外へ送り出す放熱側送風機と、冷凍サイクルを構成する少なくとも圧縮機と凝縮器を配置し、前記冷却室内に、前記吸込み口から吸込んだ空気を前記吹出し口から前記本体外へ送り出す冷却側送風機と、前記冷凍サイクルを構成する少なくとも蒸発器を配置し、さらに、前記冷却室に、前記吸込み口から吸込んだ空気の少なくとも一部が通過可能な通風部を具備し、かつ前記冷却室内を前記吸込み口から前記蒸発器に通じる通風路と、前記吸込み口から前記通風部を介して前記蒸発器側に通じる制御室とに仕切る仕切壁を設け、前記仕切壁を、少なくとも前記本体に設けた吸込み口を具備する面に平行な面と、前記本体に設けた吸込み口を具備する面と交差する面を具備する形状とし、前記仕切壁の通風部を、前記吸込み口を具備する面と交差する面に設けた開口部より形成し、前記制御室に、前記圧縮機、放熱側送風機、冷却側送風機の少なくともいずれか一つの運転を制御する制御装置を配置したものである。
【００２３】
かかる構成とすることにより、空気調和装置を、冷凍サイクルを単一の本体内に組込んだ構成とすることができ、その結果、空気調和装置の据付作業が簡略化でき、さらにメンテナンス作業も本体の範囲内で行え、作業の容易化がはかれるものである。
【００２４】
また、冷却室内を仕切壁によって通風路と制御室に区画し、吸込み口からの気流の一部を制御室側へ分流させて制御室内に配置した制御装置を冷却することができ、制御装置の温度上昇に伴う誤動作を抑制することができる。さらに、冷却用の空気は、外気を取込むことなく前記吸込み口から冷却室へ流れ込む空気であり、また、制御装置の冷却に供した空気を、蒸発器によって冷却し、吹出し口から吹出す構成としているため、冷却室に、外気取込みに伴う小動物侵入防止構造等の開口を設ける必要性がなく、冷却室における風回路の風漏れ、およびこれらに起因する冷却効率の低下を抑制することができるものである。
また、かかる構成とすることにより、前記制御室へ流入する冷却空気は、気流方向の変更により、該空気に混在する塵埃等を少なくすることができ、その結果、塵埃等の直接的な制御室への混入を抑制し、塵埃等の堆積に起因する制御装置の誤動作等を抑制することができるものである。
【００２５】
請求項２に記載の発明は、請求項１に記載の発明において、前記制御室と前記蒸発器の間に、前記制御室内の空気を前記蒸発器側へ送り出す補助送風機を設けたものである。
【００２６】
かかる構成とすることにより、冷却室における制御室への冷却空気の取込みが積極的に行え、前記制御装置の冷却作用の信頼性を高めることができるものである。
【００２７】
請求項３に記載の発明は、請求項１または２に記載の発明において、前記仕切壁の通風部を、前記本体に設けた吸込み口と対向する位置に設けた開口部より形成したものである。
【００２８】
かかる構成とすることにより、前記制御室へ冷却空気を円滑に導き、前記制御装置を効率よく冷却することができることに伴い、前記圧縮機、前記放熱側送風機、前記冷却側送風機等の誤動作を抑制することができる。
【００３１】
請求項４に記載の発明は、請求項１に記載の発明において、前記制御室に、前記制御装置を支持するスペーサを設け、該スペーサにより前記開口部から流入する空気の一部が、前記制御装置と制御室内壁面の間を流れるようにしたものである。
【００３２】
かかる構成とすることにより、前記制御装置を表裏の両面から冷却することができ、制御装置の発熱温度の上昇を効果的に抑制することができる。
【００３３】
請求項５に記載の発明は、請求項１から４のいずれか一項に記載の発明において、前記仕切壁を、前記圧縮機、放熱側送風機、冷却側送風機の少なくともいずれか一つの運転を制御する制御装置を収納した電装品箱の壁面を兼ねる構成としたものである。
【００３４】
かかる構成は、前記仕切壁を、前記圧縮機、放熱側送風機、冷却側送風機の少なくともいずれか一つの運転を制御する制御装置の取付け部とすることができ、部品数の増加抑制と構成の簡略化がはかれ、さらに通風路または制御室を流れる気流によって制御装置の冷却を可能とするため、制御装置の配置、冷却を合理的に行うことができる。また、電装品箱の取付けで制御室と通風路の形成が可能となるため、組立て性、作業性が良好となるものである。
【００３５】
請求項６に記載の発明は、請求項１から５のいずれか一項に記載の発明において、前記制御室および前記仕切壁を、前記蒸発器より上方に配置したものである。
【００３６】
かかる構成とすることにより、蒸発器等から発生する結露水の制御装置への滴下が防止でき、結露による漏電等のおそれもなく、高い安全性を維持することができるものである。
【００３７】
請求項７に記載の発明は、温度調節を必要とする機器を格納した格納室内の温度調節を行う空気調和装置を、請求項１から６のいずれか一項に記載の空気調和装置とし、該空気調和装置を前記格納室内に配置した格納装置であって、前記冷却室の吸込み口と吹出し口を前記格納室内に開口し、前記放熱室の吸入口と吐出口を前記格納室の外部に開口したものである。
【００３８】
かかる構成とすることにより、前記空気調和装置の格納室への据付作業が簡略化でき、また前記空気調和装置のメンテナンス作業も容易となることに加えて、前記冷却室の制御室を流れる気流（空気）温度を比較的安定した温度範囲とすることができるため、制御装置を効率よく冷却することができると共に、季節の変化等に起因した大幅な温度変化に伴う制御装置へのヒートショックが緩和でき、それに伴う制御装置等の故障を抑制することができ、該制御装置の信頼性を維持することができるものである。
【００３９】
以下、本発明の実施の形態について、図面を参照しながら説明する。なお、この実施形態によって本発明が限定されるものではない。
【００４０】
（実施の形態１）
図１は、本発明の実施の形態１における空気調和装置の正面側からの斜視図である。図２は、同空気調和装置における背面側からの斜視図である。図３は、同空気調和装置における図１のＡ−Ａ線による断面図である。図４は、同空気調和装置における電装品箱の内部構成を示す分解斜視図である。図５は、同空気調和装置の設置状態を示す温度調節室の模式図である。
【００４１】
図１、図２において、空気調和装置１は、その外郭を一面が開口した箱型の本体２と、前記開口に着脱可能に取付けられた扉体３で構成している。そして、扉体３には、該扉体３の比較的上部位置であって、上方に吸込み口４が、下方に吹出し口５がそれぞれ形成されている。また、本体２における扉体３と対向する面（背面）には、該本体２の比較的下部位置であって、下方に吸入口６が、上方に吐出口７がそれぞれ設けられている。
【００４２】
次に、図３、図４を参照しながら空気調和装置１の内部構成について説明する。
【００４３】
本体２の内部は、区画壁８によって上部に位置する冷却室９と下部に位置する放熱室１０に区画されている。したがって、扉体３に設けた吸込み口４および吹出し口５は、冷却室９に位置し、本体３に設けた吸入口６および吐出口７は、放熱室１０に位置している。
【００４４】
そして、放熱室１０には、周知の冷凍サイクルを構成する圧縮機１１と、凝縮器１２および吸入口６から吸込んだ空気を吐出口７から本体３外へ送り出す放熱側送風機１３が配置されている。また、冷却室９には、前記冷凍サイクルを構成する蒸発器１４と、蒸発器１４に付着した結露水を受け、適宜外部へ排水する水受け皿１５と、吸込み口４から吸込んだ空気を吹出し口５から扉体３（本体２）外へ送り出す冷却側送風機１６と、圧縮機１１、放熱側送風機１３、冷却側送風機１６等の運転を制御する制御装置２４（図３、図４）を格納した電装品箱（本発明の制御室に相当）１７等が設けられている。
【００４５】
なお、前記冷凍サイクルを構成する減圧装置２２（図５）は、放熱室１０もしくは冷却室９の都合のよい箇所に設けられている。
【００４６】
電装品箱１７は、蒸発器１４より上方で、かつ本体２の背面寄りに位置する如く配置され、適宜手段にて固定されている。したがって、冷却室９の内部は、扉体３と電装品箱１７の間に吸込み口４と連続した通風路１８が形成されている。
【００４７】
また、電装品箱１７は、その外郭が図４に示す如く、冷却室９に固定され、かつ一面が開口した箱型のケース部１９と、該開口を閉塞する着脱可能な蓋体（本発明の仕切壁に相当）２０で構成されるもので、蓋体２０には、吸込み口４と対向して開口部（本発明の通風部に相当）２１が設けられ、また、ケース部１９における蓋体２０と略直角に交差する上面１９ａにも複数の小孔１９ｂ（本発明の通風部に相当）が設けられている。この小孔１９ｂは、必要に応じて設ければよいものであり、本実施の形態１の場合は、廃止することもできる。
【００４８】
さらに、ケース部１９における上面１９ａと対向する下面１９ｃには、電装品箱１７内の空気を蒸発器１４側へ送り出す補助送風機２３が設けられている。
【００４９】
さらに、電装品箱１７の内部には、蓋体２０の内面も含め、圧縮機１１、放熱側送風機１３、冷却側送風機１６、補助送風機２３等の運転を制御する前述の制御装置２４が取付けられている。制御装置２４は、ケース部１９の内面に設けたスペーサ１９ｅに支持、固定されるもので、かかることによってケース部１９内面における絶縁距離を確保することができる。換言すると、この電装品箱１７には、電源（図示せず）によって駆動される構成要素の運転を司る制御回路（制御装置２４）が集中して配置され、配線を介して圧縮機１１、放熱側送風機１３、冷却側送風機１６、補助送風機２３等がそれぞれこの制御回路に接続されている。
【００５０】
上述の如く、冷却室９内においては、電装品箱１７の蓋体２０により、電装品箱１７の外側に通風路１８が、電装品箱１７の内部に制御冷却風路１９ｄ（図３）がそれぞれ形成された構成となっている。
【００５１】
次に、図５を参照しながら上記空気調和装置１の設置状態について説明する。
【００５２】
図５においては、空気調和装置１を、温度調節を必要とする機器２５が設置された温度調節室（本発明の格納室に相当し、以下、温調室と称す）２６に設置した状態を示し、吸込み口４と吹出し口５が温調室２６内に、吸入口６と吐出口７が温調室２６の外部に、それぞれ開口するように設置している。
【００５３】
温度調節を必要とする機器２５の一例としては、コンピュータ等の電子機器、あるいはコンピュータを搭載した制御機器等が該当し、温調室２６の一例としては、コンピュータルーム等が該当する。
【００５４】
次に、空気調和装置１により、温調室２６内の温度調節（空調）動作について説明する。
【００５５】
圧縮機１１を駆動することにより、冷凍サイクルにおいては周知の如く冷媒の循環流によって凝縮器１２で放熱作用が行われ、蒸発器１４で吸熱作用が行われる。そして、放熱側送風機１３、冷却側送風機１６を運転することによって、図３、図５の矢印で示すように、温調室２６内においては、蒸発器１４によって冷却された空気が吹出し口５から温調室２６を経由して吸込み口４へと循環する。この冷却空気の循環により、温調室２６内では温度の上昇が抑制され、所定の温度範囲に維持される。
【００５６】
また、空気調和装置１の放熱室１０では、吸入口６より温調室２６の外部の空気を取込み、凝縮器１２と熱交換させて吐出口７から再び温調室２６の外へ排出される放熱作用が行われ、これらの流れの繰り返しにより、前述の放熱作用、吸熱作用が促進される。
【００５７】
この状態において、空気調和装置１における冷却室９内では、吸込み口４からの空気の一部が、電装品箱１７の蓋体２０に設けた開口部２１から電装品箱１７内に流入し、該電装品箱１７内部に形成した制御冷却風路１９ｄを流れることにより、該電装品箱１７内に配置した各種の制御装置２４を冷却し、蒸発器１４へと流れる。この電装品箱１７内の制御冷却風路１９ｄを流れる空気は、開口部２１が吸込み口４と対向していることから円滑に制御冷却風路１９ｄへ流入し、また、補助送風機２３の作用によって積極的に取込まれるため、制御装置２４の温度上昇を効率よく抑制することができる。
【００５８】
しかも、制御装置２４の冷却に供した空気を、蒸発器１４によって冷却し、吹出し口５から吹出す構成としているため、例えば、制御装置２４の冷却に供した空気を放熱室１０へ、あるいは空気調和装置１の外部へ排出する開口等を不要とすることができ、その結果、冷却室９に必要以上に開口等を設けることがなく、冷却室９における風回路の風漏れ、あるいは、小動物の侵入防止構造等が不要となり、これらに起因する冷却効率の低下等を抑制することができるものである。
【００５９】
また、電装品箱１７は、蒸発器１４よりも上方に配置されているため、蒸発器１４に付着した結露水の滴下等に起因する漏電等のおそれがなく、高い安全性を確保することができる。
【００６０】
さらに、電装品箱１７内を流れる空気は、空気調和装置１によって比較的安定した温度状態にある温調室２６内の空気であるため、制御装置２４の温度上昇抑制に作用する空気も比較的安定した温度範囲にあり、制御装置２４に加わる熱負荷も比較的安定したものとなる。その結果、季節の変化等に起因した大幅な温度変化に伴う制御装置２４へのヒートショックが緩和でき、それに伴う制御装置２４等の故障を抑制することができ、該制御装置２４の信頼性を維持することができる。
【００６１】
また、電装品箱１７の位置を調整して扉体３との距離を変えることにより、通風路１８と電装品箱１７の制御冷却風路１９ｄを流れる空気の比率を変えることができるため、冷却側送風機１６等の特性を考慮して風量特性、制御装置２４の冷却特性等を最適な範囲に設定することができ、特に、電装品箱１７内に配置した制御装置２４の冷却設計に有効となる。
【００６２】
さらに、制御装置２４は、電装品箱１７を構成するケース部１９に加えて蓋体２０にも取付けられるため、最小限の部品数で電装品箱１７内における制御装置２４の取付け面積が広く確保でき、これに伴い、制御装置２４を、制御冷却風路１９ｄを流れる気流によって合理的に冷却されるように配置することができる。加えて、前述の通風路１８と制御冷却風路１９ｄの形成が、蓋体２０の取付けによって行えるため、部品数の削減と構成の簡略化がはかれ、通風路１８と制御冷却風路１９ｄの形成のための組立て性、作業性を良好とすることができる。
【００６３】
さらに、電装品箱１７の蓋体２０を熱伝導が良好な鉄等の材料とすることにより、制御装置２４の冷却設計の自由度が増し、制御装置２４をより合理的に冷却する配置設計が期待できるものである。
【００６４】
また、空気調和装置１は、単一の本体２内に、冷凍サイクルを構成する圧縮機１１、凝縮器１２、減圧装置２２、蒸発器１４、および放熱側送風機１３、冷却側送風機１６等を格納しているため、該空気調和装置１の温調室２６への据付作業が簡略化でき、また空気調和装置１のメンテナンス作業も容易となる。
【００６５】
（実施の形態２）
次に、図６、図７、図８を参照しながら本発明の実施の形態２について説明する。なお、先の実施の形態１と同じ構成要件については、同一の符号を付し、ここでは、先の実施の形態１と相違する部分を主体に説明する。
【００６６】
図６は、本発明の実施の形態２における空気調和装置の図１のＡ−Ａ線による断面相当図である。図７は、同空気調和装置における電装品箱の内部構成を示す分解斜視図である。また、図８は、同実施の形態２における異なる構成の電装品箱を取付けた空気調和装置の図６相当図である。
【００６７】
図６、図７において、空気調和装置１は、先の実施の形態１と同様に、温度調節を必要とする機器２５が設置された温調室２６に設置されるものであり、先の実施の形態１と相違する部分は、電装品箱１７の蓋体２０に設けた開口部２１を廃止し、そして電装品箱１７の取付け位置を若干下方に位置させ、ケース部１９の上面１９ａと本体２の天面との間に風路２７を形成した点、および蓋体２０の裏面（電装品箱１７の内部側）に取付けた制御装置２４の発熱部２４ａが貫通する孔２０ａを蓋体２０に設け、冷却室９の通風路１８側に、発熱部２４ａの放熱を促進する熱伝導率の高い金属製の放熱部材２８を発熱部２４ａと密着して設けた点、さらに制御装置２４を取付けるために設けたケース部１９のスペーサ１９ｅの高さを、ケース部１９の上面１９ａに設けた小孔１９ｂから流入する空気が制御装置２４の裏面（制御装置２４とケース部１９の内壁面の間）を流れる高さに設定した点である。
【００６８】
したがって、本実施の形態２においては、蓋体２０とケース１９の上面１９ａが本発明の仕切壁に相当する構成となっている。
【００６９】
かかる構成において、空気調和装置１を運転することにより、先の実施の形態１と同様に放熱室１０においては、吸入口６から吸込んだ空気を凝縮器１２で熱交換し、吐出口７から吹出す循環気流が形成される。また、冷却室９においても、蒸発器１４によって冷却された空気を、吹出し口５から吹出し、吸込み口４から吸込む循環気流を形成する。
【００７０】
そして、吸込み口４から吸込まれた空気の一部は、補助送風機２３の誘引動作により、電装品箱１７の上部に形成した風路２７からケース部１９の上面１９ａに設けた複数の小孔１９ｂを介して電装品箱１７内へ流入する。
【００７１】
したがって、制御冷却風路１９ｄを流れる空気、および制御装置２４の裏面を流れる空気によって前後の両面から制御装置２４を冷却し、制御装置２４の冷却に供した空気は、補助送風機２３を介して蒸発器１４へ流れる。
【００７２】
また、吸込み口４から通風路１８を流れる空気は、該通風路１８に突出している放熱部材２８を冷却し、蒸発器１４へ流れる。
【００７３】
このように、本実施の形態２は、冷却室９内において電装品箱１７の内外に冷却空気を通過させて電装品箱１７内の制御装置２４、発熱部２４ａを冷却するため、先の実施の形態１の作用効果に加えて制御装置２４、発熱部２４ａをより効率よく冷却することができる。特に、スペーサ１９ｅにより制御装置２４の絶縁距離を確保することに加えて表裏両面から該制御装置２４を冷却するため、制御装置２４の発熱温度の上昇を効果的に抑制することができるものである。
【００７４】
さらに、電装品箱１７内へ流れる空気は、吸込み口４から電装品箱１７の上面１９ａへ方向を変え、ここから小孔１９ｂを介して電装品箱１７内へ流入する流れとなるため、数回の気流方向変更に伴い、空気中に含まれる塵埃等を分離する作用が生じる。その結果、電装品箱１７内へ流入する塵埃等を抑制することができ、塵埃等の付着に起因する制御装置２４の誤動作等を抑制して制御装置２４の信頼性を高めることができる。
【００７５】
なお、図６、図７の構成においては、電装品箱１７の蓋体２０に放熱部材２８を取付ける構成としたが、制御装置２４の発熱量が少ない場合は、図８に示す如く、蓋体２０を熱伝導性の高い材料で形成し、これに制御装置２４の発熱部２４ａを熱伝達可能に取付ける構成とすることもできる。
【産業上の利用可能性】
【００７６】
本発明は、冷凍サイクル等の機器を単一の本体内に設けた空気調和装置であって、電装品箱内の制御装置を効率よく冷却することができ、発熱機器等を格納した格納装置への設置の他に、植物栽培等の温室の如く、温度調節を必要とする空間への設置に適用できるものである。
【図面の簡単な説明】
【００７７】
【図１】本発明の実施の形態１における空気調和装置の正面側からの斜視図
【図２】同空気調和装置における背面側からの斜視図
【図３】同空気調和装置における図１のＡ−Ａ線による断面図
【図４】同空気調和装置における電装品箱の内部構成を示す分解斜視図
【図５】同空気調和装置の設置状態を示す温度調節室の模式図
【図６】本発明の実施の形態２における空気調和装置の図１のＡ−Ａ線による断面相当図
【図７】同空気調和装置における電装品箱の内部構成を示す分解斜視図
【図８】同実施の形態２における異なる構成の電装品箱を取付けた空気調和装置の図６相当図
【図９】従来技術を示す通信基地局の冷却システムの概略構成図
【図１０】異なる従来技術を示す貯蔵装置の斜視図
【符号の説明】
【００７８】
１    空気調和装置
２    本体
３    扉体
４    吸込み口
５    吹出し口
６    吸入口
７    吐出口
８    区画壁
９    冷却室
１０    放熱室
１１    圧縮機
１２    凝縮器
１３    放熱側送風機
１４    蒸発器
１６    冷却側送風機
１７    電装品箱（制御室）
１８    通風路
１９    ケース部
１９ａ  上面（仕切壁）
１９ｂ  小孔（通風部）
１９ｃ  下面
１９ｄ  制御冷却風路
１９ｅ  スペーサ
２０    蓋体（仕切壁）
２１    開口部（通風部）
２３    補助送風機
２４    制御装置
２４ａ  発熱部
２５    機器
２６    温度調節室（格納室）
２７    風路
【図１】
0004946930.tif 000002
【図２】
0004946930.tif 000003
【図３】
0004946930.tif 000004
【図４】
0004946930.tif 000005
【図５】
0004946930.tif 000006
【図６】
0004946930.tif 000007
【図７】
0004946930.tif 000008
【図８】
0004946930.tif 000009
【図９】
0004946930.tif 000010
【図１０】
0004946930.tif 000011